(57)【要約】 【課題】  壁面に吸着した吊下具を簡単に取り外すことができる使い勝手の良い磁性吊下具を提供する。【解決手段】  マグネット４を取り付けたマグネット取付本体１と、当該マグネット取付本体１に、支軸１２を支点に回動自在に取り付けられると共に、吊下具３を取り付けた吊下具取付本体２と、前記支軸１２の上方に位置して、吸着時に前記壁面２０に近接するように前記吊下具取付本体２に設けられた壁当て１５とを備えている。吊下具３を手前に上げると、支軸１２を支点としたテコの原理により、所定のモーメント力を持って壁当て１５が壁面２０を押圧し、その結果、マグネット取付本体１を壁面２０より引き離す力が作用するため、壁面２０に磁気吸着された磁性吊下具１０を壁面２０より簡単に取り外すことができる。【選択図】    図４
2005218487.tif 000002
【特許請求の範囲】
【請求項１】
マグネットによる磁着力を利用し、壁面等に吸着して使用する磁性吊下具であって、
マグネットを取り付けたマグネット取付本体と、
当該マグネット取付本体に、支軸を支点に回動自在に取り付けられると共に、吊下具を取り付けた吊下具取付本体と、
前記支軸の上方に位置して、吸着時に前記壁面に近接するように前記吊下具取付本体に設けられた壁当てとを備えることを特徴とする磁性吊下具。
【請求項２】
前記壁当ては、前記吊下具取付本体に回動自在に設けられていることを特徴とする請求項１に記載の磁性吊下具。
【請求項３】
前記壁当ては、円柱状であることを特徴とする請求項１または請求項２の何れかに記載の磁性吊下具。
【請求項４】
前記マグネット取付本体と前記吊下具取付本体とは、前記吊下具の取付端部を支軸として回動自在に取り付けられていることを特徴とする請求項１から請求項３までの何れかに記載の磁性吊下具。
【請求項５】
前記吊下具取付本体の壁面当接側に滑り止めを設けたことを特徴とする請求項１から請求項４までの何れかに記載の磁性吊下具。
【発明の詳細な説明】
【技術分野】
【０００１】
本発明は、マグネットによる磁着力を利用し、壁面等に吸着して使用する磁性吊下具に関するものである。
【背景技術】
【０００２】
従来より、壁面等への取付手段として、マグネットの磁着力（吸着力）を利用した吊下具は、傷つけず、且つ、汚さずに、例えば、冷蔵庫や洗濯機等の白物家電品等の壁面に手軽に取り付け取り外しできるため、使い勝手が良く広く使用されている。この磁性吊下具の背面に、断面コの字形のヨークに固定された表裏がＮ極、Ｓ極に着磁された板状のマグネットを配設すると共に、ヨークの縁面をマグネットの着磁面より幾分高めに設定し、磁力線をヨークの縁面上に集中させるとにより、マグネット単体より強い吸着力を得るようにした構造のものが一般的である（特許文献１参照）。
【特許文献１】実開昭６３−８４９０５号公報
【０００３】
例えば、鉤状フックやタオル掛け等の吊下具では、吸着用のマグネットとして主にフェライト磁石が用いられているが、特に、高荷重用として、強力な着磁力を持つネオジウム磁石を用いたものも知られている。
【発明の開示】
【発明が解決しようとする課題】
【０００４】
ところが、特に、上記のような高荷重用の磁性吊下具では、比較的重量のある物品を安定に吊り下げできるという点で好都合であるが、その反面、一旦、壁面にマグネットを吸着すると、その強力な着磁力のために簡単に取り外すことができず、取り外しに大きな力を要し、一苦労するという問題を有していた。また、無理に引っ張って取付対象（壁面）を傷つけたり、吊下具自体を破損したりする場合もある。
【０００５】
本発明は、上記問題に鑑みて成されたもので、壁面等に吸着した磁性吊下具を簡単に取り外すことができる使い勝手の良い磁性吊下具を提供することを目的としている。
【課題を解決するための手段】
【０００６】
すなわち、請求項１に記載の本発明は、マグネットによる磁着力を利用し、壁面等に吸着して使用する磁性吊下具であって、マグネットを取り付けたマグネット取付本体と、当該マグネット取付本体に、支軸を支点に回動自在に取り付けられると共に、吊下具を取り付けた吊下具取付本体と、前記支軸の上方に位置して、吸着時に前記壁面に近接するように前記吊下具取付本体に設けられた壁当てとを備えることを特徴としている。
【０００７】
本構成では、吊下具を手前に持ち上げると、吊下具取付本体が支軸を支点に上向きに揺動し、テコの原理により、壁当てが所定のモーメント力を持って壁面を押圧し、マグネットに壁面より引き離す方向の力が作用する。この力により、壁面に磁気吸着された磁性吊下具は壁面より簡単に取り外すことができる。
【０００８】
また、請求項２に記載の本発明は、請求項１に記載の磁性吊下具において、前記壁当ては、前記吊下具取付本体に回動自在に設けられていることを特徴としている。
【０００９】
本構成では、吊下具を取り外す際、壁当てと壁面との間に擦り現象が生じないため、取り外しの際に壁面に無理な力が掛かって壁面を傷つけるという不都合を回避できる。
【００１０】
また、請求項３に記載の本発明は、請求項１または請求項２の何れかに記載の磁性吊下具において、前記壁当ては円柱状であることを特徴としている。
【００１１】
本構成では、吊下げ具を取り外す際、壁面と壁当ては線接触することから、マグネットを壁面より引き離す力を効率良く得ることができると共に、壁面との接触面が円状であれば、その際に壁面を傷つけることはない。
【００１２】
また、請求項４に記載の本発明は、請求項１から請求項３までの何れかに記載の磁性吊下具において、前記マグネット取付本体と前記吊下具取付本体とは、前記吊下具の取付端部を支軸にして回動自在に取り付けられていることを特徴としている。
【００１３】
本構成では、マグネット取付本体と吊下具取付本体との軸支構造を簡素化できる。
【００１４】
また、請求項５に記載の本発明は、請求項１から請求項４までの何れかに記載の磁性吊下具において、前記吊下具取付本体の壁面当接側に滑り止めを設けたことを特徴としている。
【００１５】
本構成では、吊下具取付本体が支軸を支点に前後に揺動可能であることで、吊下具に荷重が掛った際に滑り止めが壁面に押圧されて壁面との摩擦抵抗が増大し、過剰な荷重による磁性吊下具のズレ防止効果が向上する。
【発明の効果】
【００１６】
以上、説明したように、本発明によれば、回動自在の吊下具取付本体に壁当てを設けたので、吊下具を手前に持ち上げると吊下具取付本体が支軸を支点に揺動して壁当てが壁面を押圧し、その結果、マグネットに壁面より引き離す方向の力が作用するため、壁面に強力に磁気吸着された磁性吊下具でも簡単に取り外すことができる。
加えて、壁当てを回動自在とし、且つ、形状を円柱状とすると、取り外し時に壁面に無理な力を掛けずに、且つ、壁面を傷つけることはなく磁性吊下具をスムースに取り外せるようになる。
【００１７】
また、吊下具取付本体が前後に揺動可能あるから、吊下具に荷重が掛かると滑り止めが壁面に押圧されて壁面との摩擦抵抗が増大し、過剰な荷重により磁性吊下具がズレたり、或いはこれに伴ってマグネットの保護シートが皺になったり捲れたりすることが防止できる。
【発明を実施するための最良の形態】
【００１８】
以下、図１〜図４に基づいて本発明に係る磁性吊下具の一実施形態を説明する。ここで、図１は本発明の磁性吊下具の正面図、図２は、同、磁性吊下具の側断面図、図３は、同、磁性吊下具の裏面図、図４は、壁面に吸着した本実施形態の磁性吊下具の取り外しを示す説明図である。
【００１９】
図１〜図３に示すように、本実施形態の磁性吊下具１０は、背面（壁面側）にマグネット４を取り付けた合成樹脂製のマグネット取付本体１と、このマグネット取付本体１の下部に回動自在に取り付けられて、吊下具３が取り付けられる合成樹脂製の吊下具取付本体２と、吊下具として用いるフック３とで構成されている。
【００２０】
マグネット４は、フェライト磁石等に比べて強力な着磁力を奏する角形板状のネオジウム磁石を用いており、断面コの字形のヨーク５の内側に表裏がＮ極、Ｓ極に着磁された状態で配設されていると共に、このマグネット４の磁着面に厚さ０．１ｍｍ程度の極薄い傷防止用の保護シート６が被着されている。尚、この保護シート６は、機械的強度に優れ、且つ、比較的摩擦抵抗の大きいウレタンシートが適している。このマグネット付きのヨーク５は両面テープ等の接着材７にてマグネット取付本体１の背面に設けた角状陥没部８に接着・固定されている。
【００２１】
このマグネット付きヨーク５は、縁面をマグネット４の磁着面より幾分高めに形成し、発生した磁力線をヨーク５の縁面上に集中させることにより、強い吸着力が得られるように構成されている。
【００２２】
吊下具取付本体２の背面側に板状の滑り止め９が固定されている。両者は、吊下具取付本体２側に設けた凸部１３と滑り止め９側に設けた凹部１４の嵌合により連結されている。
【００２３】
滑り止め９は、弾性を有し、且つ、耐候性、耐摩耗性に優れる素材（例えば、ラバロン）で構成されている。
【００２４】
フック３は、Ｖ状に曲成された径４φ程度の金属棒を、中央よりくの字に折り曲げたもので、その両基端部をそれぞれ水平方向に曲げて、マグネット取付本体１と吊下具取付本体２を回動自在に連結するための支軸１２、１２としている。
【００２５】
このＶ字形のフック３を滑り止め９の表面側に設けた案内溝１１に配置すると共に、その水平基端部（支軸１２、１２）を吊下具取付本体２の各通孔２ａ、２ａを通してマグネット取付本体１の各通孔１ａ、１ａに遊嵌することにより、マグネット取付本体１と吊下具取付本体２は回動自在に連結されて、吊下具取付本体２は支軸１２を支点に壁面に対して揺動可能となる。
【００２６】
このように、マグネット取付本体１と吊下具取付本体２を回動自在に連結する支軸１２としてフック３の取付端部を利用することにより、両者の軸支構造を簡素化することができ、コストの低減が図れる。
【００２７】
また、この支軸１２の上方にあたる吊下具取付本体２の上端部に、壁当て１５が取り付けられている。この壁当て１５は、合成樹脂製の円柱状部材で構成されており、その両端部に軸部１６、１６を突設したものであって、これら軸部１６、１６に対応する吊下具取付本体２の部位にそれぞれ嵌合凹部１７、１７が形成されており、この嵌合凹部１７、１７に軸部１６、１６を遊嵌することにより、壁当て１５は吊下具取付本体２に回動自在となる。
【００２８】
マグネット４の磁着面、壁当て１５の表面、滑り止め９の各面は、壁面２０に対して略同一平面上に位置するように構成されており、磁性吊下具１０のマグネット４を壁面２０に吸着させると、ヨーク付きネオジウム磁石の奏する強力な着磁力に加え、吊下具取付本体２が支軸１２を支点に前後に揺動可能であるため、そのフック３に荷重が掛かると、これに連結された滑り止め９がその揺動動作により、壁面２０に押圧され壁面２０との摩擦抵抗が増大し、過剰な荷重による磁性吊下具１０のズレやこれに伴い生じ易い保護シート６の皺や捲れが防止できる。
【００２９】
壁面２０に吸着した磁性吊下具１０を取り外すには、図４に示すように、そのままフック３を手前に持ち上げれば良い。フック３を上げることにより、支軸１２を支点に吊下具取付本体２が上向きに揺動し、テコの原理により壁当て１５は所定のモーメント力を持って壁面２０を押圧する。これにより、マグネット取付本体１、即ち、マグネット４に壁面２０より引き離す方向の力が作用し、強力に磁気吸着された磁性吊下具１０であっても壁面２０より簡単に取り外すことができる。
【００３０】
また、取り外しの際に壁当て１５が壁面２０に押圧されても、壁当て１５は回動自在であるから、壁当て１５と壁面２０との間に擦り現象は生じることはなく、壁面２０に無理な力は掛かることがない。よって、取り外しの際に過って壁面２０を傷つける心配はない。
加えて、壁当て１５が円柱状であると、壁当て１５は壁面２０に線接触することから押圧力が集中し、マグネット取付本体１を壁面２０より引き離す力が効率良く得られると共に、壁面２０を傷つけない。
【００３１】
以上、本実施形態では、吊下具３としてフックを用いたが、マグネットの磁着力を利用した壁面取り付け構造であれば、タオル掛けや布巾掛け等にも適用できることは勿論である。
【図面の簡単な説明】
【００３２】
【図１】本発明に係る磁性吊下具の正面図。
【図２】同、磁性吊下具の側断面図。
【図３】同、磁性吊下具の裏面図
【図４】同、磁性吊下具の取り外しを示す説明図。
【符号の説明】
【００３３】
１  マグネット取付本体
２  吊下具取付本体
３  吊下具（フック）
４  マグネット
９  滑り止め
１０  磁性吊下具
１２  支軸
１５  壁当て
２０  壁面
【図１】
2005218487.tif 000003
【図２】
2005218487.tif 000004
【図３】
2005218487.tif 000005
【図４】
2005218487.tif 000006